(57)【要約】【課題】装置構成および製造プロセスの簡略化が図れる光源装置を提供する。【解決手段】本発明の光源装置は、第１面を有する基板と、基板の第１面側に設けられた複数の発光素子と、複数の発光素子を囲んで設けられ、基板の第１面側に接合された枠体と、複数の発光素子から射出された光を透過させる透光性部材を有し、基板の第１面に対向して設けられ、枠体の基板とは反対側に接合された蓋体と、を備える。複数の発光素子は、基板と枠体と蓋体とにより形成された収容空間に収容されている。枠体は、不導体材料を含む材料で構成されている。【選択図】図２
2019191320.tif 000002
【特許請求の範囲】
【請求項１】
第１面を有する基板と、
前記基板の前記第１面側に設けられた複数の発光素子と、
前記複数の発光素子を囲んで設けられ、前記基板の前記第１面側に接合された枠体と、
前記複数の発光素子から射出された光を透過させる透光性部材を有し、前記基板の前記第１面に対向して設けられ、前記枠体の前記基板とは反対側に接合された蓋体と、を備え、
前記複数の発光素子は、前記基板と前記枠体と前記蓋体とにより形成された収容空間に収容され、
前記枠体は、不導体材料を含む材料で構成されている、光源装置。
【請求項２】
前記蓋体は、前記透光性部材が接合された支持部材をさらに有し、
前記支持部材は、前記枠体の前記基板とは反対側に接合されている、請求項１に記載の光源装置。
【請求項３】
第１面を有する基板と、
前記基板の前記第１面側に設けられた複数の発光素子と、
前記複数の発光素子を覆う凹部を有し、前記基板の前記第１面側に接合された透光性部材と、を備え、
前記透光性部材は、不導体材料を含む材料で構成されている、光源装置。
【請求項４】
前記基板の前記第１面に設けられた絶縁層と、
前記絶縁層の前記基板とは反対側に設けられた配線層と、をさらに備え、
前記発光素子の接続端子と前記配線層とは、電気的に接続されている、請求項１から請求項３までのいずれか一項に記載の光源装置。
【請求項５】
請求項１から請求項４までのいずれか一項に記載の光源装置と、
前記光源装置からの光を画像情報に応じて変調する光変調装置と、
前記光変調装置により変調された光を投射する投射光学装置と、を備えた、プロジェクター。
【発明の詳細な説明】
【技術分野】
【０００１】
本発明は、光源装置およびプロジェクターに関する。
【背景技術】
【０００２】
近年、プロジェクターの高性能化を目的として、広色域かつ高効率な光源であるレーザー光源を用いたプロジェクターが注目されている。
【０００３】
下記の特許文献１に、基板と、複数の半導体レーザー素子と、レンズアレイと、を備えた発光装置が開示されている。この発光装置においては、凸部と側壁とを有する基板の凸部上に複数の半導体レーザー素子が実装され、半導体レーザー素子が収容された空間が窓部と透光性部材とを有する封止部材により封止され、封止部材の上面にレンズアレイが設けられた構成を有する発光装置が開示されている。
【先行技術文献】
【特許文献】
【０００４】
【特許文献１】特開２０１６−２１９７７９号公報
【発明の概要】
【発明が解決しようとする課題】
【０００５】
特許文献１の発光装置は、構成が複雑であり、製造プロセスが煩雑であるという課題を有していた。
【０００６】
本発明の一つの態様は、上記の課題を解決するためになされたものであって、装置構成および製造プロセスの簡略化が図れる光源装置を提供することを目的の一つとする。また、本発明の一つの態様は、上記の光源装置を備えたプロジェクターを提供することを目的の一つとする。
【課題を解決するための手段】
【０００７】
上記の目的を達成するために、本発明の一つの態様の光源装置は、第１面を有する基板と、前記基板の前記第１面側に設けられた複数の発光素子と、前記複数の発光素子を囲んで設けられ、前記基板の前記第１面側に接合された枠体と、前記複数の発光素子から射出された光を透過させる透光性部材を有し、前記基板の前記第１面に対向して設けられ、前記枠体の前記基板とは反対側に接合された蓋体と、を備える。前記複数の発光素子は、前記基板と前記枠体と前記蓋体とにより形成された収容空間に収容され、前記枠体は、不導体材料を含む材料で構成されている。
【０００８】
本発明の一つの態様の光源装置において、前記蓋体は、前記透光性部材が接合された支持部材をさらに有していてもよく、前記支持部材は、前記枠体の前記基板とは反対側に接合されていてもよい。
【０００９】
本発明の一つの態様の光源装置は、第１面を有する基板と、前記基板の前記第１面側に設けられた複数の発光素子と、前記複数の発光素子を覆う凹部を有し、前記基板の前記第１面側に接合された透光性部材と、を備える。前記透光性部材は、不導体材料を含む材料で構成されている。
【００１０】
本発明の一つの態様の光源装置は、前記基板の前記第１面に設けられた絶縁層と、前記絶縁層の前記基板とは反対側に設けられた配線層と、をさらに備えていてもよく、前記発光素子の接続端子と前記配線層とは、電気的に接続されていてもよい。
【００１１】
本発明の一つの態様のプロジェクターは、本発明の一つの態様の光源装置と、前記光源装置からの光を画像情報に応じて変調する光変調装置と、前記光変調装置により変調された光を投射する投射光学装置と、を備える。
【図面の簡単な説明】
【００１２】
【図１】第１実施形態の第１構成例の光源装置の斜視図である。
【図２】図１のII−II線に沿う光源装置の断面図である。
【図３】第１実施形態の第２構成例の光源装置の断面図である。
【図４Ａ】第１実施形態の光源装置の製造プロセスの一つの工程を示す斜視図である。
【図４Ｂ】図４Ａの次の工程を示す斜視図である。
【図４Ｃ】図４Ｂの次の工程を示す斜視図である。
【図４Ｄ】図４Ｃの次の工程を示す斜視図である。
【図５】第２実施形態の第１構成例の光源装置の斜視図である。
【図６】図５のVI−VI線に沿う光源装置の断面図である。
【図７】第２実施形態の第２構成例の光源装置の断面図である。
【図８】第３実施形態の第１構成例の光源装置の斜視図である。
【図９】図８のIX−IX線に沿う光源装置の断面図である。
【図１０】第３実施形態の第２構成例の光源装置の断面図である。
【図１１】第４実施形態の第１構成例の光源装置の断面図である。
【図１２】第４実施形態の第２構成例の光源装置の断面図である。
【図１３】第５実施形態の第１構成例の光源装置の断面図である。
【図１４】第５実施形態の第２構成例の光源装置の断面図である。
【図１５】第６実施形態の第１構成例の光源装置の斜視図である。
【図１６】図１５のXVI−XVI線に沿う光源装置の断面図である。
【図１７】第６実施形態の第２構成例の光源装置の断面図である。
【図１８】第１変形例の光源装置の要部の断面図である。
【図１９】第２変形例の光源装置の要部の断面図である。
【図２０】第３変形例の光源装置の要部の断面図である。
【図２１】第４変形例の光源装置の断面図である。
【図２２】第５変形例の光源装置の断面図である。
【図２３】第６変形例の第１構成例の光源装置の斜視図である。
【図２４】図２３のXXIV−XXIV線に沿う光源装置の要部の断面図である。
【図２５】第６変形例の第２構成例の光源装置の斜視図である。
【図２６】第７変形例の光源装置の要部の断面図である。
【図２７】第７実施形態のプロジェクターの概略構成図である。
【発明を実施するための形態】
【００１３】
［第１実施形態：光源装置］
以下、本発明の第１実施形態について、図１〜図４Ｄを用いて説明する。
以下の各実施形態では、後述するプロジェクターに用いて好適な光源装置の一例について説明する。
なお、以下の全ての図面においては各構成要素を見やすくするため、構成要素によって寸法の縮尺を異ならせて示すことがある。
【００１４】
以下、本発明の第１実施形態について、図１〜図４Ｄを用いて説明する。
以下の各実施形態では、後述するプロジェクターに用いて好適な光源装置の一例について説明する。
なお、以下の全ての図面においては各構成要素を見やすくするため、構成要素によって寸法の縮尺を異ならせて示すことがある。
【００１５】
［第１構成例］
図１は、第１実施形態の第１構成例の光源装置１０の斜視図である。
図２は、図１のII−II線に沿う光源装置１０の断面図である。
図１および図２に示すように、本構成例の光源装置１０は、基板１２と、複数のサブマウント１３と、複数の発光素子１４と、枠体１５と、蓋体１６と、複数のリード端子１７と、を備えている。基板１２、枠体１５および蓋体１６は、各々が別体の部材であり、互いに接合されている。
【００１６】
基板１２は、第１面１２ａと、第１面１２ａとは反対側の第２面１２ｂと、を有する板材で構成されている。基板１２は、第１面１２ａの法線方向から見た平面視において、略正方形もしくは略長方形等の四角形の形状を有する。基板１２の第１面１２ａ側には、後述する複数のサブマウント１３を介して複数の発光素子１４が設けられている。
【００１７】
基板１２の第２面１２ｂには、発光時に複数の発光素子１４から発せられる熱を放出するためのフィン、ヒートシンク等の放熱部材（図示略）が適宜設けられる。そのため、基板１２は、熱伝導率が高い金属材料で構成されている。この種の金属材料として、銅、アルミニウムなどが好ましく用いられ、銅が特に好ましく用いられる。
以下、単に「平面視」と記載した場合、基板１２の第１面１２ａの法線方向から見たときの平面視を意味する。
【００１８】
図１に示すように、複数のサブマウント１３は、基板１２の第１面１２ａにおいて、基板１２の一辺と平行な方向に所定の間隔を空けて設けられている。複数のサブマウント１３の各々は、複数の発光素子１４に対応して設けられている。第１構成例では、サブマウント１３は、４個の発光素子１４に対して共通に設けられているが、発光素子１４の数は特に限定されない。
【００１９】
サブマウント１３は、例えば窒化アルミニウム、アルミナ等のセラミック材料で構成されている。サブマウント１３は、基板１２と発光素子１４との間に介在し、基板１２と発光素子１４との線膨張係数の違いにより生じる熱応力を緩和する。サブマウント１３は、銀ロウ、金−スズはんだ等の接合材により基板１２に接合されている。
【００２０】
複数の発光素子１４は、基板１２の第１面１２ａ側に設けられている。発光素子１４は、例えば半導体レーザー、発光ダイオードなどの固体光源から構成されている。発光素子１４は、光源装置１０の用途に応じて任意の波長の発光素子を用いればよい。第１実施形態では、蛍光体励起用の波長４３０ｎｍ〜４９０ｎｍの青色光を射出する発光素子１４として、例えば窒化物系半導体（ＩｎＸＡｌＹＧａ１−Ｘ−ＹＮ、０≦Ｘ≦１、０≦Ｙ≦１、Ｘ＋Ｙ≦１）で構成される端面発光型の半導体レーザーが用いられる。また、上記の一般式に加えて、III族元素の一部がホウ素原子で置換されたもの、Ｖ族元素として窒素原子の一部がリン原子、ヒ素原子で置換されたもの等を含んでもよい。
【００２１】
図１に示すように、複数の発光素子１４は、平面視において、例えば（ｍ×ｎ）個（ｍ，ｎ：２以上の自然数）の半導体レーザーがｍ行ｎ列の格子状に配列された構成を有する。第１実施形態では、複数の発光素子１４として、例えば１６個の半導体レーザーが４行４列の格子状に配列されている。
【００２２】
図２に示すように、発光素子１４は、直方体状の発光素子１４の６つの面のうち、光射出面１４ａとは反対側の面が基板１２の第１面１２ａと対向するように、サブマウント１３上に設けられている。この配置により、複数の発光素子１４の各々は、基板１２の第１面１２ａと略垂直な方向に光Ｌを射出する。また、発光素子１４は、光射出面１４ａがサブマウント１３の一つの端面１３ａと略同一平面上に揃うように、サブマウント１３上に設けられている。発光素子１４は、銀ロウ、金−スズはんだ等の接合材（図示略）によりサブマウント１３に接合されている。
【００２３】
枠体１５は、複数の発光素子１４を囲んで設けられ、基板１２の第１面１２ａ側に接合されている。枠体１５は、平面視において、四角形の環状の形状を有する。枠体１５は、四角形の４辺が全て一体の部材であってもよいし、複数の部材が接合された構成であってもよい。枠体１５は、基板１２と蓋体１６との間の距離（間隔）を一定に保持し、複数の発光素子１４が収容される収容空間Ｓの一部を構成する。そのため、枠体１５は、所定の剛性を有することが好ましい。
【００２４】
枠体１５は、蓋体１６に発生する応力を緩和する役目を果たす。そのため、枠体１５は、基板１２の線膨張係数よりも小さく、蓋体１６の線膨張係数よりも大きい線膨張係数を有する材料で構成されることが好ましい。
【００２５】
枠体１５は、絶縁性樹脂を含む材料で構成されている。すなわち、枠体１５は、不導体材料を含む材料で構成されている。絶縁性樹脂の例として、以下の熱可塑性樹脂、熱硬化性樹脂などが挙げられる。
熱可塑性樹脂として、アクリル樹脂（ＰＭＭＡ）、アクリロニトリルブタジエンスチレン樹脂（ＡＢＳ）、ポリカーボネート（ＰＣ）、液晶ポリマー（ＬＣＰ）等が挙げられる。
また、熱可塑性樹脂として、エポキシ樹脂（ＥＰ）、フェノール樹脂（ＰＦ）、熱硬化ポリイミド（PI）等が挙げられる。
【００２６】
枠体１５の材料として熱可塑性樹脂を用いた場合、熱硬化性樹脂を用いた場合に比べて、接合時に樹脂中の未反応成分に由来するアウトガスが放出される量を減らすことができる。ただし、枠体１５の材料として熱硬化性樹脂を用いた場合であっても、熱硬化反応を十分に進行させた後で焼成を行うことによって、アウトガスの放出量を減らすことができる。アウトガスの放出量を減らすことによって、発光素子１４の信頼性を高めることができる。
【００２７】
蓋体１６は、複数の発光素子１４から射出された光Ｌを透過させる透光性部材１８から構成されている。蓋体１６は、基板１２の第１面１２ａに対向して設けられ、枠体１５の基板１２とは反対側に接合されている。蓋体１６は、平面視において、正方形、長方形を含む四角形の形状を有する。透光性部材１８の材料としては、光透過率の高い透光性材料が好ましく用いられる。透光性部材１８の具体例として、例えばＢＫ７等のホウケイ酸ガラス、石英ガラス、合成石英ガラス等を含む光学ガラス、水晶、およびサファイア等が用いられる。
【００２８】
本実施形態において、基板１２と枠体１５とは、枠体１５を構成する有機系樹脂材料による溶着によって接合されている。同様に、枠体１５と蓋体１６とは、枠体１５を構成する有機系樹脂材料による溶着によって接合されている。ただし、基板１２と枠体１５、および枠体１５と蓋体１６とは、溶着に代えて、有機接着剤を含む接合材によって接合されていてもよい。
【００２９】
このように、基板１２と枠体１５、および、枠体１５と蓋体１６とが接合されたことにより、基板１２と枠体１５と蓋体１６とによって囲まれた空間は、外気から遮断され、複数の発光素子１４が気密に収容されるための密閉空間となる。以下、この密閉空間を収容空間Ｓと称する。すなわち、複数の発光素子１４は、基板１２と枠体１５と蓋体１６とにより形成された収容空間Ｓに収容されている。
【００３０】
複数の発光素子１４が収容空間Ｓに収容されることにより、発光素子１４への有機物や水分等の異物の付着が低減される。収容空間Ｓは、減圧状態であることが好ましい。もしくは、収容空間Ｓは、窒素ガスなどの不活性ガス、もしくは乾燥空気で満たされていてもよい。なお、減圧状態は、大気圧より低い圧力の気体で満たされた空間の状態のことである。減圧状態において、収容空間Ｓに満たされる気体は、不活性ガスや乾燥空気であることが好ましい。
【００３１】
図１に示すように、枠体１５には、複数の貫通孔１５ｃが設けられている。複数の貫通孔１５ｃの各々には、複数の発光素子１４の各々に電力を供給するためのリード端子１７が設けられている。リード端子１７の構成材料としては、例えばコバールが用いられる。リード端子１７の表面には、例えばニッケル−金からなるめっき層が設けられている。
【００３２】
図１では、一つのサブマウント１３に実装された複数の発光素子１４が直列に接続され、各サブマウント１３の側方に一対のリード端子１７が設けられた例が示されている。ただし、複数の発光素子１４の電気的な接続やリード端子１７の配置については、この例に限らず、適宜変更が可能である。
【００３３】
収容空間Ｓには、リード端子１７の一端と発光素子１４の端子とを電気的に接続するボンディングワイヤー（図示略）が設けられている。リード端子１７の他端は、外部回路（図示略）と接続されている。枠体１５の貫通孔１５ｃの内壁とリード端子１７との間の隙間は、封止材によって封止されている。封止材としては、例えば低融点ガラスなどが好ましく用いられる。
【００３４】
［第２構成例］
以下、第１実施形態の第２構成例について、図３を用いて説明する。
第２構成例の光源装置の基本構成は第１構成例と同様であり、枠体の構成が第１構成例と異なる。そのため、光源装置全体の説明は省略し、第１実施形態と異なる構成についてのみ説明する。
図３は、第１実施形態の第２構成例の光源装置１１の断面図である。図３は、図１のII−II線と同じ位置の断面図に相当する。
図３において、第１実施形態で用いた図面と共通の構成要素には同一の符号を付し、説明を省略する。
【００３５】
図３に示すように、第２構成例の光源装置１１において、枠体２４は、不導体材料の一つであるセラミック材料を含む材料で構成されている。セラミック材料として、例えばアルミナ、炭化珪素、窒化珪素等のセラミック材料が好ましく用いられる。
【００３６】
以下、基板１２と枠体２４とが接合された接合部を第１接合部２１と称し、枠体２４と蓋体１６とが接合された接合部を第２接合部２２と称する。
第１接合部２１において、基板１２と枠体２４とは、有機接着剤を含む接合材２１１によって接合されている。有機接着剤としては、例えばシリコーン系接着剤、エポキシ樹脂系接着剤、アクリル樹脂系接着剤等が好ましく用いられる。
【００３７】
第２接合部２２において、枠体２４と蓋体１６とは、銀ロウ、金−スズはんだ等の金属材料、もしくは低融点ガラス等の無機材料を含む接合材２２１によって接合されている。第２接合部２２は、枠体２４と同様、平面視において、四角形の環状の形状を有する。もしくは、枠体２４と蓋体１６とは、第１接合部２１と同様、有機接着剤を含む接合材２１１によって接合されていてもよい。
【００３８】
［第１実施形態の光源装置の製造方法］
以下、上記構成例の光源装置１０，１１の製造方法について、図４Ａ〜図４Ｄを用いて説明する。
図４Ａ〜図４Ｄは、第１実施形態の光源装置１０，１１の製造工程を、順を追って示す斜視図である。
【００３９】
最初に、図４Ａに示すように、基板１２を準備する。
次に、図４Ｂに示すように、基板１２の第１面１２ａに枠体１５，２４を接合する。このとき、有機系樹脂材料からなる枠体１５を用いる場合、枠体１５と基板１２とを接触させた状態で熱を加え、枠体１５と基板１２とを溶着する。
【００４０】
もしくは、セラミック材料からなる枠体２４を用いる場合、枠体２４と基板１２との間に接合材２１１を介在させた状態で熱を加え、枠体１５と基板１２とを接合材２１１によって接合する。これにより、枠体２４は、基板１２の第１面１２ａに接合される。また、図示を省略するが、枠体１５，２４には複数のリード端子１７を予め取り付けておいてもよい。
【００４１】
次に、図４Ｃに示すように、基板１２の第１面１２ａに複数の発光素子１４を実装する。このとき、複数（４個）の発光素子１４が実装された複数のサブマウント１３を予め準備しておく。そして、各サブマウント１３の基板１２との接合面（下面）もしくは基板１２の第１面１２ａに接合材を塗布した後、サブマウント１３と基板１２とを接触させた状態で熱を加え、接合材を硬化させる。これにより、複数の発光素子１４は、サブマウント１３を介して基板１２の第１面１２ａに接合される。
【００４２】
次に、図示を省略するが、ボンディングワイヤーを用いて発光素子１４とリード端子１７とを電気的に接続する。具体的には、超音波接合、熱圧着接合等の手法を用いて、ボンディングワイヤーの一端をリード端子１７に接合し、ボンディングワイヤーの他端を発光素子１４の接続端子に接合する。
【００４３】
次に、図４Ｄに示すように、枠体１５の上面に蓋体１６を接合する。このとき、有機系樹脂材料からなる枠体１５を用いる場合、枠体１５と蓋体１６とを接触させた状態で熱を加え、枠体１５と蓋体１６とを溶着する。
【００４４】
もしくは、セラミック材料からなる枠体２４を用いる場合、枠体２４と蓋体１６との間に接合材２２１を介在させた状態で熱を加え、枠体１５と蓋体１６とを接合材２２１を介して接合する。
【００４５】
これにより、蓋体１６は、枠体１５，２４の上面に接合される。このとき、減圧雰囲気下、もしくは不活性ガス雰囲気下、乾燥空気雰囲気下において上記の接合を行うことにより、収容空間Ｓの内部は、減圧状態、もしくは不活性ガス、乾燥空気等により満たされた状態となる。
以上の工程により、第１実施形態の光源装置１０，１１が完成する。
【００４６】
なお、図４Ｂに示した基板１２への枠体１５，２４の接合工程と、図４Ｃに示したサブマウント１３を介した発光素子１４の基板１２への接合工程と、の順番は、いずれが先でもよい。ただし、上記の例のように、枠体１５，２４の接合工程を先に行えば、枠体１５，２４の接合工程で発生する熱が発光素子１４に加わらないようにすることができる。
【００４７】
第１実施形態の光源装置１０，１１は、基板１２、枠体１５，２４、複数の発光素子１４、蓋体１６等を含む構成部品の点数が少なく、従来の光源装置に比べて、装置構成や製造プロセスを簡略化することができる。これにより、光源装置１０の生産性が向上するとともに、製造コストを低減させることができる。
【００４８】
特に、第１実施形態の光源装置１０，１１によれば、枠体１５，２４が有機系樹脂材料やセラミック材料等の不導体材料で構成されているため、発光素子１４に電力を供給するためのリード端子１７や基板１２上の配線と枠体１５との間の絶縁構造が不要となる。これにより、発光素子１４に係わる電気的接続の信頼性を確保しつつ、装置構成や製造プロセスの簡略化が図れる。
【００４９】
［第２実施形態］
以下、本発明の第２実施形態について、図５〜図７を用いて説明する。
第２実施形態の光源装置の基本構成は第１実施形態と同様であり、蓋体の構成が第１実施形態と異なる。そのため、光源装置全体の説明は省略し、第１実施形態と異なる構成についてのみ説明する。
図５は、第２実施形態の第１構成例の光源装置５０の斜視図である。図６は、図５のVI−VI線に沿う光源装置５０の断面図である。
図５および図６において、第１実施形態で用いた図面と共通の構成要素には同一の符号を付し、説明を省略する。
【００５０】
［第１構成例］
図５および図６に示すように、第２実施形態の光源装置５０は、基板１２と、複数のサブマウント１３と、複数の発光素子１４と、枠体１５と、蓋体５３と、複数のリード端子１７と、を備えている。基板１２、枠体１５および蓋体５３は、各々が別体の部材であり、互いに接合されている。
【００５１】
蓋体５３は、透光性部材５４と、透光性部材５４が接合された支持部材５５と、を有している。第２実施形態では、透光性部材５４は、支持部材５５の２つの面のうち、基板１２の第１面１２ａと対向する面５５ｂ（図５における下面）に接合されている。
【００５２】
支持部材５５は、平面視において、矩形枠状に構成され、中央に四角形状の開口部５５ｈを有している。支持部材５５は、枠体１５の基板１２とは反対側に接合されている。支持部材５５は、例えば銅、アルミニウム等の金属材料で構成されている。支持部材５５の表面に、例えばニッケル等からなるメッキ層が設けられていてもよい。なお、支持部材５５は、金属材料以外の材料で構成されていてもよい。
【００５３】
透光性部材５４は、平面視において、正方形、長方形等の四角形の形状を有し、支持部材５５の開口部５５ｈよりも一回り大きな外形寸法を有している。透光性部材５４の材料としては、光透過率の高い透光性材料が好ましく用いられる。透光性部材５４の具体例として、例えばＢＫ７等のホウケイ酸ガラス、石英ガラス、合成石英ガラス等を含む光学ガラス、水晶、およびサファイア等が用いられる。
【００５４】
第２実施形態において、基板１２と枠体１５とは、枠体１５の構成材料である有機系樹脂材料による溶着によって接合されている。同様に、枠体１５と支持部材５５（蓋体５３）とは、枠体１５の構成材料である有機系樹脂材料による溶着によって接合されている。ただし、基板１２と枠体１５、および枠体１５と支持部材５５（蓋体５３）とは、溶着に代えて、有機接着剤を含む接合材によって接合されていてもよい。
【００５５】
支持部材５５と透光性部材５４とは、銀ロウ、金−スズはんだ等の金属材料、もしくは低融点ガラス等の無機材料を含む接合材５２１によって接合されている。もしくは、支持部材５５と透光性部材５４とは、例えばシリコーン系接着剤、エポキシ樹脂系接着剤、アクリル樹脂系接着剤等の有機接着剤を含む接合材によって接合されていてもよい。
【００５６】
［第２構成例］
以下、第２実施形態の第２構成例について、図７を用いて説明する。
第２構成例の光源装置の基本構成は第１構成例と同様であり、枠体の構成が第１構成例と異なる。そのため、光源装置全体の説明は省略し、第１実施形態と異なる構成についてのみ説明する。
図７は、第２実施形態の第２構成例の光源装置５１の断面図である。
図７において、上記実施形態で用いた図面と共通の構成要素には同一の符号を付し、説明を省略する。
【００５７】
図７に示すように、第２構成例の光源装置５１において、枠体２４は、不導体材料の一つであるセラミック材料を含む材料で構成されている。セラミック材料として、例えばアルミナ、炭化珪素、窒化珪素等のセラミック材料が好ましく用いられる。
【００５８】
第１接合部２１において、基板１２と枠体２４とは、有機接着剤を含む接合材２１１によって接合されている。有機接着剤としては、例えばシリコーン系接着剤、エポキシ樹脂系接着剤、アクリル樹脂系接着剤等が好ましく用いられる。
【００５９】
第２接合部２２において、枠体２４と蓋体５３とは、銀ロウ、金−スズはんだ等の金属材料、もしくは低融点ガラス等の無機材料を含む接合材２２１によって接合されている。もしくは、枠体２４と蓋体５３とは、第１接合部２１と同様、有機接着剤を含む接合材２１１によって接合されていてもよい。
【００６０】
第２実施形態の光源装置５０，５１を製造する際には、蓋体５３と枠体１５，２４とを接合する工程に先だって、支持部材５５と透光性部材５４とを接合し、蓋体５３を作製しておけばよい。その他の工程は、第１実施形態と同様である。
【００６１】
第２実施形態の光源装置５０，５１においても、発光素子１４の端子引き出し構造を含む装置構成を簡略化できる、光源装置５０，５１の生産性が向上し、製造コストを低減できる、製造プロセスの簡略化が図れる、光源装置５０，５１の信頼性を向上させることができる、といった第１実施形態と同様の効果が得られる。
【００６２】
さらに第２実施形態の場合、透光性部材５４は、支持部材５５の基板１２側に設けられている。これにより、発光素子１４と透光性部材５４との間の距離を小さくすることができる。一般に、半導体レーザー等の発光素子１４から射出された光は発散光である。そのため、発光素子１４と透光性部材５４との間の距離が短くなる程、発光素子１４から射出された光Ｌを、透光性部材５４を通して効率的に取り出すことができる。また、透光性部材５４に、例えば集光レンズなどの光学素子が設けられていてもよい。その場合も、発光素子１４と光学素子との間の距離が短くなるため、発光素子１４から射出された光Ｌを効率的に利用することができる。
【００６３】
［第３実施形態］
以下、本発明の第３実施形態について、図８〜図１０を用いて説明する。
第３実施形態の光源装置の基本構成は第１実施形態と同様であり、蓋体の構成が第１実施形態と異なる。そのため、光源装置全体の説明は省略し、第１実施形態と異なる構成についてのみ説明する。
図８は、第３実施形態の第１構成例の光源装置６０の斜視図である。図９は、図８のIX−IX線に沿う光源装置６０の断面図である。
図８および図９において、上記実施形態で用いた図面と共通の構成要素には同一の符号を付し、説明を省略する。
【００６４】
［第１構成例］
図８および図９に示すように、第１構成例の光源装置６０は、基板１２と、複数のサブマウント１３と、複数の発光素子１４と、枠体１５と、蓋体６４と、複数のリード端子１７と、を備えている。基板１２、枠体１５および蓋体６４は、各々が別体の部材であり、互いに接合されている。
【００６５】
蓋体６４は、複数の透光性部材６２と、複数の透光性部材６２が接合された支持部材６３と、を有している。第３実施形態では、複数の透光性部材６２は、支持部材６３の２つの面のうち、基板１２の第１面１２ａと対向する面６３ｂ（図９における下面）に接合されている。
【００６６】
支持部材６３は、平面視において矩形の板材で構成され、各発光素子１４から射出される光Ｌの経路に対応する位置に開口部６３ｈを有している。すなわち、支持部材６３は、発光素子１４の数と同数の開口部６３ｈを有している。支持部材６３は、枠体１５の基板１２とは反対側に接合されている。支持部材６３は、例えば銅、アルミニウム等の金属材料で構成されている。支持部材６３の表面に、例えばニッケル等からなるメッキ層が設けられていてもよい。
【００６７】
複数の透光性部材６２の各々は、平凸レンズで構成されている。平凸レンズからなる透光性部材６２は、各発光素子１４から射出される光Ｌを集光させる機能を有する。透光性部材６２は、平面視において、支持部材６３の開口部６３ｈよりも一回り大きな外形寸法を有している。透光性部材６２の材料としては、光透過率の高い透光性材料が好ましく用いられる。透光性部材６２の具体例として、例えばＢＫ７等のホウケイ酸ガラス、石英ガラス、合成石英ガラス等を含む光学ガラス、水晶、およびサファイア等が用いられる。
【００６８】
なお、透光性部材６２は、必ずしも平凸レンズで構成されていなくてもよく、特に集光機能を求めないのであれば、平板で構成されていてもよい。また、各透光性部材６２は、支持部材６３の面６３ｂと反対側の面（図９における上面）に接合されていてもよい。
【００６９】
第３実施形態において、基板１２と枠体１５とは、枠体１５の構成材料である有機系樹脂材料による溶着によって接合されている。同様に、枠体１５と支持部材６３（蓋体６４）とは、枠体１５の構成材料である有機系樹脂材料による溶着によって接合されている。なお、基板１２と枠体１５、および枠体１５と蓋体６４とは、溶着に代えて、有機接着剤を含む接合材によって接合されていてもよい。
【００７０】
支持部材６３と各透光性部材６２とは、銀ロウ、金−スズはんだ等の金属材料、もしくは低融点ガラス等の無機材料を含む接合材５２１によって接合されている。もしくは、支持部材６３と各透光性部材６２とは、例えばシリコーン系接着剤、エポキシ樹脂系接着剤、アクリル樹脂系接着剤等の有機接着剤を含む接合材５２１によって接合されていてもよい。
【００７１】
［第２構成例］
以下、第３実施形態の第２構成例について、図１０を用いて説明する。
第２構成例の光源装置の基本構成は第１構成例と同様であり、枠体の構成が第１構成例と異なる。そのため、光源装置全体の説明は省略し、第１実施形態と異なる構成についてのみ説明する。
図１０は、第３実施形態の第２構成例の光源装置６１の断面図である。
図１０において、上記実施形態で用いた図面と共通の構成要素には同一の符号を付し、説明を省略する。
【００７２】
図１０に示すように、第２構成例の光源装置６１において、枠体２４は、不導体材料の一つであるセラミック材料を含む材料で構成されている。セラミック材料として、例えばアルミナ、炭化珪素、窒化珪素等のセラミック材料が好ましく用いられる。
【００７３】
第１接合部２１において、基板１２と枠体２４とは、有機接着剤を含む接合材２１１によって接合されている。有機接着剤としては、例えばシリコーン系接着剤、エポキシ樹脂系接着剤、アクリル樹脂系接着剤等が好ましく用いられる。
【００７４】
第２接合部５２において、枠体２４と蓋体６４とは、銀ロウ、金−スズはんだ等の金属材料、もしくは低融点ガラス等の無機材料を含む接合材５２１によって接合されている。もしくは、枠体２４と蓋体６４とは、第１接合部２１と同様、有機接着剤を含む接合材２１１によって接合されていてもよい。第１構成例と同様、各透光性部材６２は、支持部材６３の基板１２の第１面１２ａと対向する面６３ｂ（図１０における下面）に接合されていてもよいし、面６３ｂと反対側の面（図１０における上面）に接合されていてもよい。
【００７５】
第３実施形態の光源装置６０，６１を製造する際には、蓋体６４と枠体１５，２４とを接合する工程に先だって、支持部材６３と複数の透光性部材６２の各々とを接合し、蓋体６４を作製しておけばよい。その他の工程は、第１実施形態と同様である。
【００７６】
第３実施形態の光源装置６０，６１においても、発光素子１４の端子引き出し構造を含む装置構成を簡略化できる、光源装置６０，６１の生産性が向上し、製造コストを低減できる、製造プロセスの簡略化が図れる、光源装置６０，６１の信頼性を向上させることができる、といった第１実施形態と同様の効果が得られる。
【００７７】
さらに第３実施形態の場合、支持部材６３は、複数の発光素子１４に対応した複数の開口部６３ｈと、各開口部６３ｈを覆う複数の透光性部材６２と、を備えている。そのため、全ての発光素子１４に対して共通の透光性部材５４が設けられている第２実施形態と比較して、支持部材６３の面積に対する透光性部材６２の総面積の割合が小さい。また、支持部材６３の線膨張係数は、透光性部材６２の線膨張係数よりも大きいことが好ましい。さらに、支持部材６３の線膨張係数は、基板１２の線膨張係数よりも大きいことが好ましい。このような材料を選択した場合、支持部材６３と複数の透光性部材６２とからなる蓋体６４の線膨張係数を第２実施形態の蓋体５３の線膨張係数よりも大きくして、基板１２の線膨張係数に近付けることができる。
【００７８】
これにより、光源装置６０，６１が高温下に曝された場合でも、透光性部材６２が破損したり、支持部材６３から脱落したりするおそれを低減できる。この作用により、光源装置６０の信頼性を高めることができる。
【００７９】
また、第２実施形態と同様、複数の透光性部材６２は、支持部材６３の基板１２側に設けられている。これにより、発光素子１４と各透光性部材６２との間の距離を短くすることができ、透光性部材６２は、発光素子１４から射出された光Ｌを効率的に集光させることができる。
【００８０】
［第４実施形態］
以下、本発明の第４実施形態について、図１１および図１２を用いて説明する。
第４実施形態の光源装置の基本構成は第１実施形態と同様であり、枠体および蓋体の構成が第１実施形態と異なる。そのため、光源装置全体の説明は省略し、第１実施形態と異なる構成についてのみ説明する。
図１１は、第４実施形態の第１構成例の光源装置７６の断面図である。
図１１において、上記実施形態で用いた図面と共通の構成要素には同一の符号を付し、説明を省略する。
【００８１】
［第１構成例］
図１１に示すように、第１構成例の光源装置７６は、基板１２と、枠体７７と、複数のサブマウント１３と、複数の発光素子１４と、蓋体７８と、複数のリード端子１７（図示略）と、を備えている。基板１２と枠体７７と蓋体７８とは、各々が別体の部材であり、互いに接合されている。
【００８２】
基板１２は、第１面１２ａと第２面１２ｂとを有する板材で構成されている。基板１２の第１面１２ａ側には、複数のサブマウント１３を介して複数の発光素子１４が設けられている。基板１２は、例えば銅、アルミニウム等の金属材料で構成されている。
【００８３】
枠体７７は、複数の発光素子１４を囲んで設けられ、基板１２の第１面１２ａ側に接合されている。枠体７７は、基板１２の第１面１２ａに対して略垂直に突出する壁部７７ａと、壁部７７ａの上端から壁部７７ａと略垂直（基板１２の第１面１２ａと略平行）に突出する支持部７７ｂと、を有する。支持部７７ｂは、蓋体７８（透光性部材７９）を支持する。壁部７７ａと支持部７７ｂとは、一体の部材である。
【００８４】
枠体７７は、アクリル樹脂（ＰＭＭＡ）、アクリロニトリルブタジエンスチレン樹脂（ＡＢＳ）、ポリカーボネート（ＰＣ）、液晶ポリマー（ＬＣＰ）等の熱可塑性樹脂、エポキシ樹脂（ＥＰ）、フェノール樹脂（ＰＦ）、熱硬化ポリイミド（ＰＩ）等の熱硬化性樹脂等を含む有機系樹脂材料から構成されている。
【００８５】
蓋体７８は、板状の透光性部材７９で構成されている。透光性部材７９は、平面視において、四角形の形状を有している。透光性部材７９の材料としては、ホウケイ酸ガラス、石英ガラス等を含む光学ガラス、水晶、およびサファイア等が用いられる。蓋体７８は、枠体７７の支持部７７ｂの下面に接合されている。
【００８６】
第４実施形態において、基板１２と枠体７７とは、枠体７７の構成材料である有機系樹脂材料による溶着によって接合されている。同様に、枠体７７と蓋体７８（透光性部材７９）とは、枠体７７の構成材料である有機系樹脂材料による溶着によって接合されている。なお、基板１２と枠体１５、および枠体１５と蓋体７８とは、溶着に代えて、有機接着剤を含む接合材によって接合されていてもよい。
【００８７】
［第２構成例］
以下、第４実施形態の第２構成例について、図１２を用いて説明する。
第２構成例の光源装置の基本構成は第１構成例と同様であり、枠体の構成が第１構成例と異なる。そのため、光源装置全体の説明は省略し、第１実施形態と異なる構成についてのみ説明する。
図１２は、第４実施形態の第２構成例の光源装置７１の断面図である。
図１２において、上記実施形態で用いた図面と共通の構成要素には同一の符号を付し、説明を省略する。
【００８８】
図１２に示すように、第２構成例の光源装置７１において、枠体７２は、不導体材料の一つであるセラミック材料を含む材料で構成されている。セラミック材料として、例えばアルミナ、炭化珪素、窒化珪素等のセラミック材料が好ましく用いられる。枠体７２は、壁部７２ａと、支持部７２ｂと、を有する。
【００８９】
第１接合部７３において、基板１２と枠体７２とは、有機接着剤を含む接合材７３１によって接合されている。有機接着剤としては、例えばシリコーン系接着剤、エポキシ樹脂系接着剤、アクリル樹脂系接着剤等が好ましく用いられる。
【００９０】
第２接合部７４において、枠体７２と蓋体７８とは、銀ロウ、金−スズはんだ等の金属材料、もしくは低融点ガラス等の無機材料を含む接合材７４１によって接合されている。もしくは、枠体７２と蓋体７８とは、第１接合部７３と同様、有機接着剤を含む接合材７４１によって接合されていてもよい。
【００９１】
第４実施形態の光源装置７６，７１を製造する際には、蓋体７８が枠体７７，７２の支持部７７ｂ，７２ｂの下面に接合されるため、枠体７７，７２を基板１２に接合した後に蓋体７８を枠体７７，７２に接合することはできない。そのため、図４Ａ〜図４Ｄに示した第１実施形態の製造プロセスとは異なり、蓋体７８を枠体７７，７２に接合した後に、蓋体７８が接合された枠体７７，７２を複数の発光素子１４が実装された基板１２に接合する。
【００９２】
第４実施形態の光源装置７６，７１においても、発光素子１４の端子引き出し構造を含む装置構成を簡略化できる、光源装置７６，７１の生産性が向上し、製造コストを低減できる、製造プロセスの簡略化が図れる、光源装置７６，７１の信頼性を確保することができる、といった第１実施形態と同様の効果が得られる。
【００９３】
特に第４実施形態の光源装置７６，７１においては、図６に示した第２実施形態における枠体１５と支持部材５５とが一体化された枠体７７，７２が用いられているため、第２実施形態に比べて装置構成や製造プロセスを簡略化しつつ、第２実施形態と同様の効果を得ることができる。
【００９４】
［第５実施形態］
以下、本発明の第５実施形態について、図１３および図１４を用いて説明する。
第５実施形態の光源装置の基本構成は第１実施形態と同様であり、枠体および蓋体の構成が第１実施形態と異なる。そのため、光源装置全体の説明は省略し、第１実施形態と異なる構成についてのみ説明する。
図１３は、第５実施形態の第１構成例の光源装置８７の断面図である。
図１３において、第１実施形態で用いた図面と共通の構成要素には同一の符号を付し、説明を省略する。
【００９５】
［第１構成例］
図１３に示すように、第５実施形態の光源装置８７は、基板１２と、枠体８８と、複数のサブマウント１３と、複数の発光素子１４と、蓋体８９と、複数のリード端子１７（図示略）と、を備えている。基板１２と枠体８８と蓋体８９とは、各々が別体の部材であり、互いに接合されている。
【００９６】
基板１２は、図２に示した第１実施形態と同様である。すなわち、基板１２は、銅、アルミニウム等の金属材料で構成され、第１面１２ａと第２面１２ｂとを有する。
【００９７】
枠体８８は、複数の発光素子１４を囲んで設けられ、基板１２の第１面１２ａ側に接合されている。枠体８８は、基板１２の第１面１２ａに対して略垂直に突出する壁部８８ａと、壁部８８ａの上端から壁部８８ａと略垂直（基板１２の第１面１２ａと略平行）に突出する支持部８８ｂと、を有する。支持部８８ｂは、複数の開口部を有し、複数の透光性部材６２からなる蓋体８９を支持する。壁部８８ａと支持部８８ｂとは、一体の部材である。
【００９８】
枠体８８は、アクリル樹脂（ＰＭＭＡ）、アクリロニトリルブタジエンスチレン樹脂（ＡＢＳ）、ポリカーボネート（ＰＣ）、液晶ポリマー（ＬＣＰ）等の熱可塑性樹脂、エポキシ樹脂（ＥＰ）、フェノール樹脂（ＰＦ）、熱硬化ポリイミド（ＰＩ）等の熱硬化性樹脂等を含む有機系樹脂材料から構成されている。
【００９９】
蓋体８９は、複数の透光性部材６２から構成されている。複数の透光性部材６２の各々は、平凸レンズから構成されている。透光性部材６２には、ホウケイ酸ガラス、石英ガラス等を含む光学ガラス、水晶、およびサファイア等が用いられる。また、各透光性部材６２は、支持部８８ｂの第１面１２ａと対向する面（図１３における下面）に接合されていてもよいし、支持部８８ｂの第１面１２ａと対向する面と反対側の面（図１３における上面）に接合されていてもよい。
【０１００】
第５実施形態において、基板１２と枠体８８とは、枠体８８の構成材料である有機系樹脂材料による溶着によって接合されている。同様に、枠体８８と蓋体８９（透光性部材６２）とは、枠体８８の構成材料である有機系樹脂材料による溶着によって接合されている。なお、基板１２と枠体８８、および枠体８８と蓋体８９とは、溶着に代えて、有機接着剤を含む接合材によって接合されていてもよい。
【０１０１】
［第２構成例］
以下、第５実施形態の第２構成例について、図１４を用いて説明する。
第２構成例の光源装置の基本構成は第１構成例と同様であり、枠体の構成が第１構成例と異なる。そのため、光源装置全体の説明は省略し、第１実施形態と異なる構成についてのみ説明する。
図１４は、第５実施形態の第２構成例の光源装置８１の断面図である。
図１４において、上記実施形態で用いた図面と共通の構成要素には同一の符号を付し、説明を省略する。
【０１０２】
図１４に示すように、第２構成例の光源装置８１において、枠体８３は、基板１２の第１面１２ａに対して略垂直に突出する壁部８３ａと、壁部８３ａの上端から壁部８３ａと略垂直（基板１２の第１面１２ａと略平行）に突出する支持部８３ｂと、を有する。枠体８３は、不導体材料の一つであるセラミック材料を含む材料で構成されている。セラミック材料として、例えばアルミナ、炭化珪素、窒化珪素等のセラミック材料が好ましく用いられる。
【０１０３】
第１接合部８５において、基板１２と枠体８３とは、有機接着剤を含む接合材８５１によって接合されている。有機接着剤としては、例えばシリコーン系接着剤、エポキシ樹脂系接着剤、アクリル樹脂系接着剤等が好ましく用いられる。
【０１０４】
第２接合部８６において、枠体８３と蓋体８９とは、銀ロウ、金−スズはんだ等の金属材料、もしくは低融点ガラス等の無機材料を含む接合材８６１によって接合されている。もしくは、枠体８３と蓋体８９とは、第１接合部８５と同様、有機接着剤を含む接合材８５１によって接合されていてもよい。第１構成例と同様、各透光性部材６２は、支持部８８ｂの第１面１２ａと対向する面（図１３における下面）に接合されていてもよいし、支持部８８ｂの第１面１２ａと対向する面と反対側の面（図１３における上面）に接合されていてもよい。
【０１０５】
第５実施形態の光源装置８７，８１を製造する際には、蓋体８９を構成する複数の透光性部材６２が枠体８８，８３の支持部８８ｂ，８３ｂの下面に接合されるため、枠体８８，８３を基板１２に接合した後に複数の透光性部材６２を枠体８８，８３に接合することはできない。そのため、図４Ａ〜図４Ｄに示した第１実施形態の製造プロセスとは異なり、複数の透光性部材６２を枠体８８，８３に接合した後に、複数の透光性部材６２が接合された枠体８８，８３を複数の発光素子１４が実装された基板１２に接合する。
【０１０６】
第５実施形態の光源装置８７，８１においても、発光素子１４の端子引き出し構造を含む装置構成を簡略化できる、光源装置８７，８１の生産性が向上し、製造コストを低減できる、製造プロセスの簡略化が図れる、光源装置８７，８１の信頼性を確保することができる、といった第１実施形態と同様の効果が得られる。
【０１０７】
特に第５実施形態の光源装置８７，８１においては、図９に示した第３実施形態における枠体１５と支持部材６３とが一体化された枠体８８，８３が用いられているため、第３実施形態に比べて装置構成や製造プロセスを簡略化しつつ、第３実施形態と同様の効果を得ることができる。
【０１０８】
［第６実施形態］
以下、本発明の第６実施形態について、図１５〜図１７を用いて説明する。
第６実施形態の光源装置の基本構成は第１実施形態と同様であり、枠体および蓋体の構成が第１実施形態と異なる。そのため、光源装置全体の説明は省略し、第１実施形態と異なる構成についてのみ説明する。
図１５は、第６実施形態の第１構成例の光源装置２５の斜視図である。図１６は、図１５のXVI−XVI線に沿う光源装置２５の断面図である。
図１５および図１６において、第１実施形態で用いた図面と共通の構成要素には同一の符号を付し、説明を省略する。
【０１０９】
［第１構成例］
図１５および図１６に示すように、第１構成例の光源装置２５は、基板１２と、複数のサブマウント１３と、複数の発光素子１４と、透光性部材２６と、複数のリード端子１７と、を備えている。
【０１１０】
基板１２は、第１面１２ａと第２面１２ｂとを有する板材で構成されている。基板１２の第１面１２ａ側には、複数のサブマウント１３を介して複数の発光素子１４が設けられている。基板１２は、例えば銅、アルミニウム等の金属材料で構成されている。
【０１１１】
透光性部材２６は、基板１２の第１面１２ａに対して略垂直に突出する側壁部２６ａと、側壁部２６ａの上端から側壁部２６ａと略垂直（基板１２の第１面１２ａと略平行）に延在する上壁部２６ｂと、を有する。このように、透光性部材２６は、直方体の６つの面のうち、１つの面が開口した箱状の部材である。透光性部材２６は、複数の発光素子１４を覆うように、開口した側を基板１２の第１面１２ａに向けて基板１２の第１面１２ａ側に接合されている。すなわち、透光性部材２６は、複数の発光素子１４を覆う凹部２６ｃを有している。
【０１１２】
透光性部材２６は、アクリル樹脂（ＰＭＭＡ）、アクリロニトリルブタジエンスチレン樹脂（ＡＢＳ）、ポリカーボネート（ＰＣ）、液晶ポリマー（ＬＣＰ）等の熱可塑性樹脂、エポキシ樹脂（ＥＰ）、フェノール樹脂（ＰＦ）、熱硬化ポリイミド（ＰＩ）等の熱硬化性樹脂等を含む有機系樹脂材料から構成されている。すなわち、透光性部材２６は、不導体材料を含む材料で構成されている。
【０１１３】
基板１２と透光性部材２６とは、透光性部材２６の構成材料である有機系樹脂材料による溶着によって接合されている。なお、基板１２と透光性部材２６とは、溶着に代えて、有機接着剤を含む接合材によって接合されていてもよい。
【０１１４】
［第２構成例］
以下、第６実施形態の第２構成例について、図１７を用いて説明する。
第２構成例の光源装置の基本構成は第１構成例と同様であり、透光性部材の構成が第１構成例と異なる。そのため、光源装置全体の説明は省略し、第１実施形態と異なる構成についてのみ説明する。
図１７は、第６実施形態の第２構成例の光源装置３１の断面図である。
図１７において、上記実施形態で用いた図面と共通の構成要素には同一の符号を付し、説明を省略する。
【０１１５】
図１７に示すように、第２構成例の光源装置３１において、透光性部材３２は、不導体材料の一つであるセラミック材料を含む材料で構成されている。セラミック材料として、例えばアルミナ、炭化珪素、窒化珪素等のセラミック材料が好ましく用いられる。透光性部材３２は、側壁部３２ａと、上壁部３２ｂと、複数の発光素子１４を覆う凹部３２ｃと、を有している。
【０１１６】
基板１２と透光性部材３２とは、有機接着剤を含む接合材２１１によって接合されている。有機接着剤としては、例えばシリコーン系接着剤、エポキシ樹脂系接着剤、アクリル樹脂系接着剤等が好ましく用いられる。
【０１１７】
第６実施形態の光源装置２５，３１を製造する際には、基板１２の第１面１２ａにサブマウント１３を介して複数の発光素子１４を実装した後、複数の発光素子１４を覆うように、基板１２の第１面１２ａに透光性部材２６，３２を接合する。透光性部材２６，３２を接合する際には、上記の溶着もしくは接合材を用いる。
【０１１８】
第６実施形態の光源装置２５，３１においても、発光素子１４の端子引き出し構造を含む装置構成を簡略化できる、光源装置２５，３１の生産性が向上し、製造コストを低減できる、製造プロセスの簡略化が図れる、光源装置２５，３１の信頼性を確保することができる、といった第１実施形態と同様の効果が得られる。
【０１１９】
特に第６実施形態の場合、複数の発光素子１４を覆う蓋体と枠体とが一体となった透光性部材２６，３２が用いられるため、装置構成および製造プロセスをさらに簡略化することができる。また、全ての実施形態の中で、異なる部材同士の接合部の個所を最も少なくできるため、接合部での不良等に起因する信頼性低下のおそれを少なくすることができる。
【０１２０】
［変形例］
上記の第１〜第６実施形態のうち、複数の実施形態の光源装置に共通する変形例について、以下説明する。以下の変形例に関する図面については、上記の実施形態で用いた図面と共通の構成要素に同一の符号を付し、説明を省略する。
【０１２１】
［第１変形例］
図１８は、第１変形例の光源装置５６の要部の断面図である。
図１８に示すように、第１変形例の光源装置５６は、基板１２の第１面１２ａに設けられたプリズム８をさらに備えている。発光素子１４は、サブマウント９を介して基板１２の第１面１２ａ側に設けられている。発光素子１４は、発光素子１４の複数の面のうち、光射出面１４ａが基板１２の第１面１２ａと略直交するように、サブマウント９上に設けられている。この配置により、複数の発光素子１４の各々は、基板１２の第１面１２ａと略平行な方向に光Ｌを射出する。
【０１２２】
プリズム８は、当該プリズム８に対応する発光素子１４から射出される光Ｌの光路上に設けられている。プリズム８は、複数の発光素子１４の各々に対応して別個に設けられていてもよいし、一つのサブマウント９に実装された複数の発光素子１４に対して共通に設けられていてもよい。
【０１２３】
プリズム８は、光の射出方向に平行、かつ基板１２の第１面１２ａに垂直な平面で切断した断面形状が略三角形状を呈する。プリズム８は、発光素子１４から射出された光Ｌを基板１２の第１面１２ａと略直交する方向に向けて反射させる反射面８ａを有する。反射面８ａは、基板１２の第１面１２ａに対して傾斜しており、反射面８ａと基板１２の第１面１２ａとのなす角度θは例えば４５°である。発光素子１４から射出された光Ｌは、プリズム８の反射面８ａで反射して進行方向を変え、透光性部材１８を介して外部に取り出される。
【０１２４】
なお、第１変形例において、透光性部材１８の上面（収容空間Ｓと反対側の面）に、集光レンズが透光性部材１８と一体に設けられていてもよい。
【０１２５】
第１変形例の構成は、第１〜第６実施形態の光源装置の全てに適用可能である。
【０１２６】
［第２変形例］
図１９は、第２変形例の光源装置５７の要部の断面図である。
図１９に示すように、第２変形例の光源装置５７は、透光性部材１９の基板１２の第１面１２ａと対向する面に設けられたプリズム２３をさらに備えている。第１変形例と同様、発光素子１４は、光射出面１４ａが基板１２の第１面１２ａと略直交するように、サブマウント９上に設けられている。この配置により、複数の発光素子１４の各々は、基板１２の第１面１２ａと略平行な方向に光Ｌを射出する。
【０１２７】
プリズム２３は、光Ｌの射出方向に平行、かつ基板１２の第１面１２ａに垂直な平面で切断した断面形状が略三角形状を呈する。プリズム２３は、発光素子１４から射出された光Ｌが入射する入射面２３ｂと、光Ｌを基板１２の第１面１２ａと略直交する方向に向けて反射させる反射面２３ａと、を有する。反射面２３ａは、基板１２の第１面１２ａに対して傾斜しており、反射面２３ａと基板１２の第１面１２ａとのなす角度は例えば４５°である。発光素子１４から射出された光Ｌは、プリズム２３に入射した後、反射面２３ａで反射して進行方向を変え、外部に取り出される。
【０１２８】
なお、第２変形例において、透光性部材１９の上面（収容空間Ｓと反対側の面）に、集光レンズが透光性部材１９と一体に設けられていてもよい。
【０１２９】
第２変形例の構成は、第１実施形態、第２実施形態、第４実施形態、および第６実施形態の光源装置に適用可能である。
【０１３０】
［第３変形例］
図２０は、第３変形例の光源装置５８の要部の断面図である。
図２０に示すように、第３変形例の光源装置５８は、透光性部材２８の基板１２の第１面１２ａと対向する面に設けられたレンズ２９をさらに備えている。第１実施形態と同様、発光素子１４は、光射出面１４ａが基板１２の第１面１２ａと略平行になるように、サブマウント１３に設けられている。この配置により、複数の発光素子１４の各々は、基板１２の第１面１２ａと略垂直な方向に光Ｌを射出する。
【０１３１】
レンズ２９は、当該レンズ２９に対応する発光素子１４から射出される光Ｌの光路上に設けられている。発光素子１４から射出された光Ｌは、レンズ２９を透過することによって集光された状態で外部に取り出される。
【０１３２】
なお、第３変形例において、透光性部材２８の上面（収容空間Ｓと反対側の面）に、透光性部材２８と一体にレンズ（収容空間Ｓと反対側に突出する凸レンズ）が設けられていてもよい。
【０１３３】
第３変形例の構成は、第１実施形態、第２実施形態、第４実施形態、および第６実施形態の光源装置に適用可能である。
【０１３４】
［第４変形例］
図２１は、第４変形例の光源装置の断面図である。
図２１に示すように、第４変形例の光源装置３５において、蓋体３６を構成する透光性部材５４は、支持部材５５の２つの面のうち、基板１２の第１面１２ａと対向する面と反対側の面５５ａ（図２１における上面）に接合されている。すなわち、透光性部材５４は、支持部材５５に対して収容空間Ｓの外側に接合されている。
【０１３５】
枠体１５は、基板１２の第１面１２ａに溶着によって接合されている。なお、枠体１５は、基板１２の第１面１２ａに接合材によって接合されていてもよい。透光性部材５４と支持部材５５とは、第２実施形態などと同様、溶着によって接合されていてもよいし、有機接着剤を含む接合材を介して接合されていてもよい。
【０１３６】
第４変形例の構成は、第２実施形態、第３実施形態、第４実施形態、第５実施形態の光源装置に適用可能である。
【０１３７】
［第５変形例］
図２２は、第５変形例の光源装置の断面図である。
図２２に示すように、第５変形例の光源装置３７において、透光性部材３８は、支持部材３９の開口部３９ｈに嵌合する形態で接合されている。
【０１３８】
透光性部材３８と支持部材３９とは、互いに接合される接合面同士が、銀ロウ、金−スズはんだ等の金属材料、もしくは低融点ガラス等の無機材料を含む接合材によって接合されていてもよいし、有機接着剤を含む接合材で構成されていてもよい。図２２に示すように、支持部材３９の段部に透光性部材３８が嵌合する構成であってもよく、接合部の形状は適宜変更が可能である。
【０１３９】
第５変形例の構成は、第２実施形態、第３実施形態、第４実施形態、第５実施形態の光源装置に適用可能である。
【０１４０】
［第６変形例］
上記実施形態において、各発光素子の接続端子に接続された配線を収容空間の外部に引き出すための手段として、枠体を貫通するリード端子を採用した。この構成に代えて、基板の第１面に設けられた配線層を採用してもよい。
第６変形例の構成は、第１〜第６実施形態の光源装置の全てに適用可能である。
【０１４１】
［第１構成例］
図２３は、第６変形例の第１構成例の光源装置４３の斜視図である。
図２４は、図２３のXXIV−XXIV線に沿う光源装置４３の要部の断面図である。
図２３に示すように、第６変形例の光源装置４３においては、一つのサブマウント１３に実装された複数の発光素子１４が直列に接続され、基板１２の第１面１２ａ上の各サブマウント１３の側方に、一対の配線層４４が設けられている。なお、複数の発光素子１４の電気的な接続や配線層４４の配置については、この例に限らず、適宜変更が可能である。
【０１４２】
図２４に示すように、枠体１５は、絶縁層４５および配線層４４を介して基板１２の第１面１２ａ側に接合されている。枠体１５は、不導体材料の一つである有機系樹脂材料から構成されている。枠体１５は、溶着によって配線層４４に接合されている。
【０１４３】
絶縁層４５は、基板１２の第１面１２ａに設けられている。絶縁層４５は、無機膜で形成されていてもよいし、有機膜で形成されていてもよい。配線層４４は、絶縁層４５の基板１２とは反対側の面に設けられている。配線層４４は、枠体１５の下方において収容空間Ｓの内側と外側とにわたって設けられている。配線層４４は、例えばメッキ法等により形成された銅等の金属膜で形成されている。発光素子１４の接続端子１４ｇと配線層４４とは、ボンディングワイヤー４６によって電気的に接続されている。
【０１４４】
なお、基板１２が銅、アルミニウム等の導電性材料で構成されている場合には絶縁層４５は必須であるが、基板１２が不導体材料で構成されている場合には絶縁層４５は設けられていなくてもよい。
【０１４５】
第１構成例の光源装置４３においては、枠体１５が有機系樹脂材料、すなわち絶縁性材料で構成されているため、枠体１５が配線層４４に直接接触していても、枠体１５を介して複数の配線層４４同士が短絡することがない。そのため、例えば配線層４４の上面を他の絶縁層でさらに覆う等の構成を用いることがない。これにより、装置構成や製造プロセスを複雑にすることなく、配線層４４による配線取り出し構造を採用することができる。
【０１４６】
［第２構成例］
図２５は、第６変形例の第２構成例の光源装置４１の要部の断面図である。
図２５に示すように、第２構成例の光源装置４１において、枠体２４は、不導体材料の一つであるセラミック材料から構成されている。枠体２４は、有機接着剤を含む接合材２１１を介して配線層４４に接合されている。光源装置４１のその他の構成は、第１構成例と同様である。
【０１４７】
第２構成例の光源装置４１においては、枠体２４が有機接着剤を含む接合材２１１を介して配線層４４に接合されているため、枠体２４と配線層４４とが接合材２１１によって絶縁され、複数の配線層４４同士が短絡することがない。そのため、例えば配線層４４の上面を他の絶縁層でさらに覆う等の構成を用いることがない。これにより、装置構成や製造プロセスを複雑にすることなく、配線層４４による配線取り出し構造を採用することができる。
【０１４８】
［第７変形例］
図２６は、第７変形例の光源装置４７の要部の断面図である。
図２６に示すように、第７変形例の光源装置４７においては、枠体２４は、不導体材料の一つであるセラミック材料から構成されている。基板１２と枠体２４とは、有機接着剤を含む接合材２１１で接合されている。収容空間Ｓの内側にあたる接合材２１１の側面、および収容空間Ｓの外側にあたる接合材２１１の側面には、ガスバリア層４８がそれぞれ設けられている。ガスバリア層４８は、接合材２１１のいずれか一方の側面に設けられていてもよい。また、ガスバリア層４８は、接合材２１１の側面だけでなく、枠体２４の側面にわたって設けられていてもよい。
【０１４９】
また、枠体が有機系樹脂材料で構成されている場合、ガスバリア層４８は、枠体の収容空間Ｓの内側にあたる接合材２１１の側面、および収容空間Ｓの外側にあたる接合材２１１の側面の少なくとも一方に設けられていてもよい。
【０１５０】
ガスバリア層４８は、公知のガスバリアコート剤により形成することができる。もしくは、ガスバリア層４８は、例えばＳｉＮ、ＳｉＯ、Ａｌ２Ｏ３、ＨｆＯ２等の無機膜、Ｃｒ、Ｎｉ、Ａｌ等の金属膜を例えばＣＶＤ法やＰＶＤ法で成膜した薄膜を用いることができる。ただし、上記の金属膜は、ＣＶＤ法で成膜されることが望ましい。また、ガスバリア層４８に熱可塑性樹脂材料を用いることもできる。この場合、熱可塑性樹脂材料に例えばモンモリロナイトや雲母などの無機フィラー材を添加することにより、ガスバリア性を高めることができる。無機フィラー材は、薄片状になるものを用いることが望ましい。
【０１５１】
第７変形例の光源装置４７においては、接合材２１１の両側面にガスバリア層４８が設けられているため、収容空間Ｓ内の気密性を維持することができる。また、有機接着剤から発生するアウトガスが収容空間Ｓ内に漏出することが抑えられ、発光素子１４への悪影響を抑制することができる。この観点から、各接合部には無溶剤タイプでアウトガスの少ない有機接着剤が用いられることが好ましい。
【０１５２】
さらに、ガスバリア層４８は、枠体と透光性部材とを接合する接合材、枠体と支持部材とを接合する接合材、および支持部材と透光性部材とを接合する接合材のいずれかの側面に設けられていてもよい。
【０１５３】
さらに、枠体１５の収容空間Ｓ側の側面に、光反射層が設けられていてもよい。光反射層の材料としては、例えばＳｉＯ２、Ａｌ２Ｏ３、ＴｉＯ３、ＭｇＦ２等を含む誘電体多層膜、Ｎｉ、Ａｇ、Ａｌ等の金属膜等を例えばＣＶＤ法やＰＶＤ法で成膜した薄膜を用いることができる。また、上記の誘電体多層膜と金属膜とを組み合わせて用いてもよい。これにより、反射特性を強化することも可能である。また、上記のガスバリア層４８が光拡散性を有していてもよい。その場合、ガスバリア層４８は、光反射層を兼ねる。
【０１５４】
枠体１５の収容空間Ｓ側の側面に光反射層が設けられている場合、発光素子１４から射出された光Ｌが枠体１５に照射されることによって、枠体１５を構成する有機系樹脂材料が光Ｌによって劣化することを抑制できる。
【０１５５】
また、光Ｌによる枠体１５の劣化を抑制するために、基板１２の第１面１２ａに光吸収層が設けられていてもよい。基板１２の第１面１２ａに光吸収層が設けられている場合、基板１２の第１面１２ａにおける光Ｌの乱反射を抑制することができる。さらに、蓋体の基板１２の第１面１２ａと対向する面のうち、光Ｌが通過する領域以外の領域に、光吸収層が設けられていてもよい。
【０１５６】
第７変形例の構成は、第１〜第６実施形態の光源装置の全てに適用可能である。
【０１５７】
［第７実施形態：プロジェクター］
以下に、第７実施形態に係るプロジェクターの一例について説明するが、プロジェクターの実施形態はこの例に限定されることはない。
【０１５８】
図２７は、第７実施形態のプロジェクター１０００の概略構成図である。
図２７に示すように、プロジェクター１０００は、照明装置１００、色分離導光光学系２００、光変調装置としての３つの液晶ライトバルブ４００Ｒ、液晶ライトバルブ４００Ｇ、液晶ライトバルブ４００Ｂ、クロスダイクロイックプリズム５００、および投射光学装置６００を備える。
【０１５９】
照明装置１００は、光源装置１０、集光光学系８０、波長変換素子９０、コリメート光学系１１０、第１レンズアレイ１２０、第２レンズアレイ１３０、偏光変換素子１４０、および重畳レンズ１５０を備える。
【０１６０】
光源装置１０は、上記実施形態の光源装置のいずれかを用いることができる。光源装置１０は、例えば青色光Ｂを集光光学系８０に向けて射出する。
【０１６１】
集光光学系８０は、第１レンズ８２および第２レンズ８４を備える。集光光学系８０は、光源装置１０から波長変換素子９０までの光路中に配置され、全体として青色光Ｂを略集光した状態で後述する波長変換層９２に入射させる。第１レンズ８２および第２レンズ８４は、凸レンズで構成される。
【０１６２】
波長変換素子９０は、いわゆる透過型の波長変換素子であり、モーター９８により回転可能な円形の基板９６の一部に、単一の波長変換層９２が基板９６の周方向に沿って連続して設けられている。波長変換素子９０は、青色光Ｂを赤色光Ｒと緑色光Ｇとを含む黄色の蛍光光に変換し、蛍光光を青色光Ｂが入射する側とは反対側に向けて射出する。
【０１６３】
基板９６は、青色光Ｂを透過する材料で構成される。基板９６の材料としては、例えば、石英ガラス、水晶、サファイア、光学ガラス、透明樹脂等を用いることができる。
【０１６４】
光源装置１０からの青色光Ｂは、基板９６側から波長変換素子９０に入射する。波長変換層９２は、青色光Ｂを透過し、赤色光Ｒおよび緑色光Ｇを反射するダイクロイック膜９４を介して基板９６上に形成されている。ダイクロイック膜９４は、例えば誘電体多層膜で構成される。
【０１６５】
波長変換層９２は、光源装置１０からの波長が約４４５ｎｍの青色光Ｂの一部を蛍光光に変換して射出し、かつ、青色光Ｂの残りの一部を変換せずに通過させる。すなわち、波長変換層９２は、光源装置１０から射出された光によって励起され、蛍光光を射出する。このように、励起光を射出する光源装置１０と波長変換層９２とを用いて所望の色光を得ることができる。波長変換層９２は、例えばＹＡＧ系蛍光体の一例である（Ｙ、Ｇｄ）３（Ａｌ、Ｇａ）５Ｏ１２：Ｃｅと有機バインダーとを含有する層で構成される。
【０１６６】
コリメート光学系１１０は、第１レンズ１１２と第２レンズ１１４を備える。コリメート光学系１１０は、波長変換素子９０からの光を略平行化する。第１レンズ１１２および第２レンズ１１４の各々は、凸レンズから構成されている。
【０１６７】
第１レンズアレイ１２０は、コリメート光学系１１０からの光を複数の部分光束に分割する。第１レンズアレイ１２０は、照明光軸１００ａｘと直交する面内にマトリクス状に配列された複数の第１レンズ１２２から構成されている。
【０１６８】
第２レンズアレイ１３０は、照明光軸１００ａｘに直交する面内にマトリクス状に配列された複数の第２レンズ１３２から構成されている。複数の第２レンズ１３２は、第１レンズアレイ１２０の複数の第１レンズ１２２に対応して設けられている。第２レンズアレイ１３０は、重畳レンズ１５０とともに、第１レンズアレイ１２０の各第１レンズ１２２の像を液晶ライトバルブ４００Ｒ、液晶ライトバルブ４００Ｇ、液晶ライトバルブ４００Ｂの画像形成領域の近傍に結像させる。
【０１６９】
偏光変換素子１４０は、第１レンズアレイ１２０により分割された各部分光束の偏光方向を、偏光方向の揃った略１種類の直線偏光光として射出する偏光変換素子である。偏光変換素子１４０は、図示しない偏光分離層と反射層と位相差板とを有する。偏光分離層は、波長変換素子９０からの光に含まれる偏光成分のうち、一方の直線偏光成分をそのまま透過し、他方の直線偏光成分を照明光軸１００ａｘに垂直な方向に反射する。反射層は、偏光分離層で反射された他方の直線偏光成分を照明光軸１００ａｘに平行な方向に反射する。位相差板は、反射層で反射された他方の直線偏光成分を一方の直線偏光成分に変換する。
【０１７０】
重畳レンズ１５０は、偏光変換素子１４０からの各部分光束を集光して液晶ライトバルブ４００Ｒ、液晶ライトバルブ４００Ｇ、液晶ライトバルブ４００Ｂの画像形成領域近傍に重畳させる。
【０１７１】
第１レンズアレイ１２０、第２レンズアレイ１３０および重畳レンズ１５０は、波長変換素子９０からの光の面内光強度分布を均一にするインテグレーター光学系を構成する。
【０１７２】
色分離導光光学系２００は、ダイクロイックミラー２１０、ダイクロイックミラー２２０、反射ミラー２３０、反射ミラー２４０、反射ミラー２５０、リレーレンズ２６０、およびリレーレンズ２７０を備える。色分離導光光学系２００は、照明装置１００からの光を赤色光Ｒ、緑色光Ｇ、および青色光Ｂに分離し、赤色光Ｒ、緑色光Ｇおよび青色光Ｂの各々の色光を照明対象となる液晶ライトバルブ４００Ｒ、液晶ライトバルブ４００Ｇ、液晶ライトバルブ４００Ｂに導光する。
【０１７３】
色分離導光光学系２００と液晶ライトバルブ４００Ｒとの間には、フィールドレンズ３００Ｒが配置されている。色分離導光光学系２００と液晶ライトバルブ４００Ｇとの間には、フィールドレンズ３００Ｇが配置されている。色分離導光光学系２００と液晶ライトバルブ４００Ｂとの間には、フィールドレンズ３００Ｂが配置されている。
【０１７４】
ダイクロイックミラー２１０は、赤色光Ｒ成分を通過させ、ダイクロイックミラー２２０に向けて、緑色光Ｇ成分、および青色光Ｂ成分を反射する。ダイクロイックミラー２２０は、フィールドレンズ３００Ｇに向けて緑色光Ｇ成分を反射して、青色光Ｂ成分を通過させる。
【０１７５】
ダイクロイックミラー２１０を通過した赤色光Ｒは、反射ミラー２３０で反射され、フィールドレンズ３００Ｒを通過して赤色光Ｒ用の液晶ライトバルブ４００Ｒの画像形成領域に入射する。
【０１７６】
ダイクロイックミラー２１０で反射された緑色光Ｇは、ダイクロイックミラー２２０でさらに反射され、フィールドレンズ３００Ｇを通過して緑色光Ｇ用の液晶ライトバルブ４００Ｇの画像形成領域に入射する。
【０１７７】
ダイクロイックミラー２２０を通過した青色光Ｂは、リレーレンズ２６０、入射側の反射ミラー２４０、リレーレンズ２７０、出射側の反射ミラー２５０、フィールドレンズ３００Ｂを経て、青色光Ｂ用の液晶ライトバルブ４００Ｂの画像形成領域に入射する。
【０１７８】
液晶ライトバルブ４００Ｒ、液晶ライトバルブ４００Ｇ、液晶ライトバルブ４００Ｂは、光源装置１０から射出された光を変調する。これらの液晶ライトバルブは、入射された色光を画像情報に応じて変調してカラー画像を形成するものであり、照明装置１００の照明対象となる。
【０１７９】
また、図示は省略したが、液晶ライトバルブ４００Ｒの光入射側と光射出側にはそれぞれ、入射側偏光板と射出側偏光板とが設けられている。液晶ライトバルブ４００Ｇ、液晶ライトバルブ４００Ｂに関しても同様である。
【０１８０】
クロスダイクロイックプリズム５００は、液晶ライトバルブ４００Ｒ，液晶ライトバルブ４００Ｇ，液晶ライトバルブ４００Ｂの各々から射出された画像光を合成してカラー画像を形成する。クロスダイクロイックプリズム５００は、４つの直角プリズムを貼り合わせた平面視略正方形状をなし、直角プリズム同士を貼り合わせた略Ｘ字状の界面には、誘電体多層膜が形成されている。
【０１８１】
投射光学装置６００は、液晶ライトバルブ４００Ｒ、液晶ライトバルブ４００Ｇ、液晶ライトバルブ４００Ｂによって形成されたカラー画像をスクリーンＳＣＲ上に投射する。投射光学装置６００は、複数の投射レンズから構成されている。
【０１８２】
第７実施形態のプロジェクター１０００は、上述した光源装置１０を備えているため、信頼性が高く、かつ、製造コストの低減が図れる。また、プロジェクター１０００は、波長変換素子９０を備えるため、所望の色の画像を表示することができる。なお、蛍光体として、黄色以外の蛍光光を発する蛍光体を用いてもよい。例えば、赤色の蛍光光を発する蛍光体を用いたり、緑色の蛍光光を発する蛍光体を用いたりしてもよい。プロジェクターの用途に応じて、任意の色の蛍光光を発する波長変換素子を選択することができる。
【０１８３】
なお、本発明の技術範囲は上記実施形態に限定されるものではなく、本発明の趣旨を逸脱しない範囲において種々の変更を加えることが可能である。
例えば上記実施形態の光源装置において、複数の接合部のうちのいずれかは有機接着剤を含む接合材で構成されているが、接合材は、有機接着剤のみを含む接合材で構成されていてもよいし、金属材料、無機材料を含む接合材で構成されていてもよい。
【０１８４】
上記実施形態では、光源装置がサブマウントを備えている例を示したが、光源装置は必ずしもサブマウントを備えていなくてもよい。また、サブマウントの有無に係わらず、複数の発光素子からの光の射出方向は、基板の第１面に対して垂直な方向であってもよいし、基板の第１面に対して平行な方向であってもよい。上述したように、光の射出方向が基板の第１面に対して平行な場合には、プリズム等を用いて発光素子からの光の光路を折り曲げ、透光性部材に導くようにすればよい。
【０１８５】
また、光源装置を構成する基板、発光素子、枠体、蓋体、支持部材、透光性部材等を含む各種部材の形状、大きさ、数、配置、材料等の具体的な構成、および光源装置の製造方法に関する具体的な記載については、上記の実施形態に限定されることなく、適宜変更が可能である。
【０１８６】
上記実施形態においては、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過する形態であることを意味する。「反射型」とは、液晶ライトバルブが光を反射する形態であることを意味する。なお、光変調装置は、液晶ライトバルブに限られず、例えばデジタルマイクロミラーデバイスが用いられてもよい。
【０１８７】
上記実施形態において、３つの液晶パネルを用いたプロジェクターの例を挙げたが、本発明は、１つの液晶ライトバルブのみを用いたプロジェクター、４つ以上の液晶ライトバルブを用いたプロジェクターにも適用可能である。
【０１８８】
上記実施形態では、透過型の波長変換素子を備えた光源装置の例を示したが、反射型の波長変換素子を備えた光源装置であってもよい。さらに、光源装置が波長変換素子を備えた例を示したが、波長変換素子を備えていなくてもよい。このような場合には、プロジェクターの光源装置として、赤色光を射出する光源装置、緑色光を射出する光源装置、青色光を射出する光源装置、のうち少なくとも一つに上記光源装置が用いられればよい。
【０１８９】
上記実施形態では、本発明による光源装置をプロジェクターに搭載した例を示したが、これに限定されない。本発明による光源装置は、照明器具や自動車のヘッドライト等にも適用することができる。
【符号の説明】
【０１９０】
１２…基板、１２ａ…（基板の）第１面、１４…発光素子、１４ｇ…接続端子、１５，２４，７２，７７，８３，８８…枠体、１６，３６，５３，６４，７８，８９…蓋体、１８，１９，２６，２８，３２，３８，５４，６２，７９…透光性部材、１０，１１，２５，３１，３５，３７，４１，４３，４７，５０，５１，５６，５７，５８，６０，６１，７１，７６，８１，８７…光源装置、２６ｃ，３２ｃ…凹部、３９，５５，６３…支持部材、４４…配線層、４５…絶縁層、４００Ｒ，４００Ｇ，４００Ｂ…液晶ライトバルブ（光変調装置）、６００…投射光学装置、１０００…プロジェクター、Ｓ…収容空間。
【図１】
2019191320.tif 000003
【図２】
2019191320.tif 000004
【図３】
2019191320.tif 000005
【図４Ａ】
2019191320.tif 000006
【図４Ｂ】
2019191320.tif 000007
【図４Ｃ】
2019191320.tif 000008
【図４Ｄ】
2019191320.tif 000009
【図５】
2019191320.tif 000010
【図６】
2019191320.tif 000011
【図７】
2019191320.tif 000012
【図８】
2019191320.tif 000013
【図９】
2019191320.tif 000014
【図１０】
2019191320.tif 000015
【図１１】
2019191320.tif 000016
【図１２】
2019191320.tif 000017
【図１３】
2019191320.tif 000018
【図１４】
2019191320.tif 000019
【図１５】
2019191320.tif 000020
【図１６】
2019191320.tif 000021
【図１７】
2019191320.tif 000022
【図１８】
2019191320.tif 000023
【図１９】
2019191320.tif 000024
【図２０】
2019191320.tif 000025
【図２１】
2019191320.tif 000026
【図２２】
2019191320.tif 000027
【図２３】
2019191320.tif 000028
【図２４】
2019191320.tif 000029
【図２５】
2019191320.tif 000030
【図２６】
2019191320.tif 000031
【図２７】
2019191320.tif 000032